(57)【要約】【課題】商品登録に関連した出力情報の出力内容を容易に拡張及び変更できるようにする。【解決手段】データを入力して商品登録を行う売上データ処理装置に接続される出力装置２０であって、売上データ処理装置１０から送信される前記データを受信する受信手段２０５と、前記データに対応する出力情報及び前記データに関連する付加データに対応する出力情報を記憶する記憶手段２０８と、受信手段２０５が前記データを受信した際に、前記データを出力部に出力させる第１制御手段２０１と、受信手段２０５が前記データを受信した際に、前記データ及び前記付加データを判断し、前記データあるいは前記付加データに対応する前記出力情報を記憶手段２０８から読み出す読出手段２０１と、読出手段２０１が読み出した前記データあるいは前記付加データに対応する前記出力情報を前記出力部に出力させる第２制御手段２０１と、を備える。【選択図】図２
2016048489.tif 000002
【特許請求の範囲】
【請求項１】
データを入力して商品登録を行う売上データ処理装置に接続される出力装置であって、
前記売上データ処理装置から送信される前記データを受信する受信手段と、
前記データに対応する出力情報を前記データ毎に記憶すると共に、前記データに関連する付加データに対応する出力情報を前記付加データ毎に記憶する記憶手段と、
前記受信手段が前記データを受信した際に、前記データを出力部に出力させる第１制御手段と、
前記受信手段が前記データを受信した際に、前記データ及び前記データに関連して前記売上データ処理装置から送信される前記付加データを判断し、前記データに対応する前記出力情報あるいは前記付加データに対応する前記出力情報を前記記憶手段から読み出す読出手段と、
前記読出手段が読み出した前記データに対応する前記出力情報あるいは前記付加データに対応する前記出力情報を前記出力部に出力させる第２制御手段と、
を備える出力装置。
【請求項２】
前記出力部は、表示手段を備え、
前記第２制御手段は、前記データに対応する前記出力情報あるいは前記付加データに対応する前記出力情報を前記表示手段に表示させる請求項１に記載の出力装置。
【請求項３】
前記第１制御手段は、前記データを前記表示手段の一方の表示領域に表示させ、
前記第２制御手段は、前記データに対応する前記出力情報あるいは前記付加データに対応する前記出力情報を前記表示手段の他方の表示領域に表示させる請求項２に記載の出力装置。
【請求項４】
前記出力部は、印刷手段を備え、
前記第２制御手段は、前記データに対応する前記出力情報あるいは前記付加データに対応する前記出力情報を前記印刷手段に印刷させる請求項１に記載の出力装置。
【請求項５】
前記読出手段は、前記出力情報として、前記データに対応する広告情報あるいは前記付加データに対応する広告情報を前記記憶手段から読み出し、
前記第２制御手段は、前記読出手段が読み出した前記広告情報を前記出力部に出力させる請求項１〜４の何れか一項に記載の出力装置。
【請求項６】
前記読出手段は、前記商品登録の際に顧客による確認操作が必要であるか否かを、前記データに基づいて判断し、確認操作が必要であると判断された場合、前記顧客に確認操作を指示する確認メッセージを前記出力情報として前記記憶手段から読み出し、
前記第２制御手段は、前記読み出した確認メッセージを前記出力情報として前記表示手段に表示させ、前記表示手段に表示された前記確認メッセージに基づいて、前記顧客による確認操作が行われた場合、前記顧客による確認操作が行われたことを示す情報を前記売上データ処理装置に送信する第１送信手段を備える請求項２に記載の出力装置。
【請求項７】
前記受信手段は、前記付加データとして顧客の使用言語を特定する使用言語データを受信し、
受信された前記使用言語データに基づいて顧客の使用言語を特定する言語特定手段を備え、
前記読出手段は、特定された前記使用言語が外国語である場合、外国語に翻訳された前記出力情報を読み出す請求項１〜６の何れか一項に記載の出力装置。
【請求項８】
前記受信手段は、前記付加データとして顧客の性別を特定する性別データを受信し、
受信された前記性別データに基づいて顧客の性別を特定する性別特定手段を備え、
前記読出手段は、特定された前記性別に対応する前記出力情報を読み出す請求項１〜７の何れか一項に記載の出力装置。
【請求項９】
請求項１〜８の何れか一項に記載の出力装置と、前記売上データ処理装置と、が通信可能に接続された売上データ処理システムであって、
前記売上データ処理装置は、前記データを前記出力装置に送信する第２送信手段を備える売上データ処理システム。
【請求項１０】
データを入力して商品登録を行う売上データ処理装置に接続される出力装置のコンピュータを、
前記売上データ処理装置から送信される前記データを受信する受信手段、
前記受信手段が前記データを受信した際に、前記データを出力部に出力させる第１制御手段、
前記受信手段が前記データを受信した際に、前記データ及び前記データに関連して前記売上データ処理装置から送信される前記付加データを判断し、前記データに対応する前記出力情報あるいは前記付加データに対応する前記出力情報を、前記データに対応する出力情報を前記データ毎に記憶すると共に前記データに関連する前記付加データに対応する前記出力情報を前記付加データ毎に記憶する記憶手段から読み出す読出手段と、
前記読出手段が読み出した前記データに対応する前記出力情報あるいは前記付加データに対応する前記出力情報を前記出力部に出力させる第２制御手段と、
として機能させるためのプログラム。
【発明の詳細な説明】
【技術分野】
【０００１】
本発明は、出力装置、売上データ処理システム、及びプログラムに関する。
【背景技術】
【０００２】
従来、商品を販売する店舗に設置されて、顧客が購入した商品の売上データを登録する売上データ処理装置において、店員等のオペレータ用の本体表示部以外に、客用表示部を備えたものが知られている。客用表示部には、売上商品の取引額、預かり金、釣銭の金額、広告等が顧客用に表示される。
【０００３】
特許文献１には、売上データを処理する情報処理装置において、情報処理装置の動作状態に応じて、客用表示部の表示を静止画と動画とを選択的に切り替えることにより、広告などの宣伝効果を一層向上させることができる技術が開示されている。
【先行技術文献】
【特許文献】
【０００４】
【特許文献１】特開平１１−２３１９９６号公報
【発明の概要】
【発明が解決しようとする課題】
【０００５】
しかしながら、特許文献１に記載の情報処理装置によれば、情報処理装置が売上データ処理と客用表示部の表示処理とを一体的に制御するため、客用表示部の表示内容が、売上データ処理内容によって制限されるという問題があった。また、客用表示部の表示内容を変更又は拡張する場合には、売上データ処理の内容の変更も必要となって手間がかかるという問題があった。
【０００６】
本発明の課題は、商品登録に関連した出力情報の出力内容を容易に拡張及び変更できるようにすることである。
【課題を解決するための手段】
【０００７】
上記課題を解決するため、請求項１に記載の出力装置は、
データを入力して商品登録を行う売上データ処理装置に接続される出力装置であって、
前記売上データ処理装置から送信される前記データを受信する受信手段と、
前記データに対応する出力情報を前記データ毎に記憶すると共に、前記データに関連する付加データに対応する出力情報を前記付加データ毎に記憶する記憶手段と、
前記受信手段が前記データを受信した際に、前記データを出力部に出力させる第１制御手段と、
前記受信手段が前記データを受信した際に、前記データ及び前記データに関連して前記売上データ処理装置から送信される前記付加データを判断し、前記データに対応する前記出力情報あるいは前記付加データに対応する前記出力情報を前記記憶手段から読み出す読出手段と、
前記読出手段が読み出した前記データに対応する前記出力情報あるいは前記付加データに対応する前記出力情報を前記出力部に出力させる第２制御手段と、
を備える。
【発明の効果】
【０００８】
本発明によれば、商品登録に関連した出力情報の出力内容を容易に拡張及び変更できる。
【図面の簡単な説明】
【０００９】
【図１】本発明の売上データ処理システムの構成を示す外観斜視図である。
【図２】売上データ処理システムの構成を示すブロック図である。
【図３】売上データ処理装置における処理工程を示すフローチャートである。
【図４】表示装置が顧客による確認操作の有無を判断する処理工程を示すフローチャートである。
【図５】図４の工程における客用表示の一例を示す図である。
【図６】表示装置が顧客の使用言語を特定する処理工程を示すフローチャートである。
【図７】図６の工程における客用表示の一例を示す図である。
【図８】表示装置が顧客の性別を特定する処理工程を示すフローチャートである。
【図９】図８の工程における客用表示の一例を示す図である。
【発明を実施するための形態】
【００１０】
以下、図を参照して本発明を実施するための形態について説明するが、本発明はこれらに限定されない。
【００１１】
＜売上データ処理システムの構成＞
図１及び図２を参照して、本実施の形態の売上データ処理システム１の装置構成を説明する。
図１は、売上データ処理システム１の概略構成を示す外観図である。売上データ処理システム１は、データ処理装置としての売上データ処理装置１０と、出力装置としての表示装置２０と、を備える。１つの売上データ処理装置１０に接続される表示装置２０の個数は任意であり、１つでも複数個でも良い。
売上データ処理装置１０と表示装置２０は、通信ネットワークＮ１を介して互いにデータ送受信可能に接続されている。通信ネットワークＮ１は、既存の任意の情報通信網であり、ケーブルを介した有線通信、ＷｉＦｉ等の無線通信などを用いてデータ通信を行なうインターフェイスである。
【００１２】
売上データ処理装置１０は、個人商店等の店舗に設置される。売上データ処理装置１０は、顧客に販売する商品の識別情報又は金額、個数の情報を店員の操作入力により受け付け、商品の売上データを算出して登録し、顧客の代金を格納し、レシートを印刷するＥＣＲ(電子式キャッシュレジスタ)であるものとする。なお、データ処理装置としての売上データ処理装置１０は、ＰＯＳ端末等、他の売上データ処理装置としてもよく、また、パーソナルコンピュータ、タブレット端末等の情報処理装置であってもよい。
また、出力装置としては、表示装置２０に限らず、印刷装置でもよい。
売上データ処理装置１０は、外観上、オペレータ用の操作部１０４と、印字出力部１０９と、を備える。図１においては、表示部１０６は省略されている。
【００１３】
表示装置２０は、売上データ処理装置１０に接続されて、顧客が商品を購入する際に、例えば、商品の品名や価格、小計、預かり金、釣銭の金額、広告、確認画面等を顧客に向けて表示する。即ち、表示装置２０は、顧客が各種情報を視認するための客用表示装置である。
【００１４】
（売上データ処理装置）
図２は売上データ処理システム１の内部構成を示すブロック図である。図２に示すように、売上データ処理装置１０は、ＣＰＵ（Central Processing Unit）１０１と、ＲＡＭ（Random Access Memory）１０２と、ＲＯＭ（Read Only Memory）１０３と、操作部１０４と、客用表示通信部１０５と、表示部１０６と、バーコード読み取り部１０７と、ドロア１０８と、印字出力部１０９と、を備える。ＣＰＵ１０１、ＲＡＭ１０２、ＲＯＭ１０３、操作部１０４、客用表示通信部１０５、表示部１０６、バーコード読み取り部１０７、ドロア１０８、印字出力部１０９は、バス１１０を介して接続されている。
【００１５】
ＣＰＵ１０１は、売上データ処理装置１０の各部を中央制御する。
ＲＡＭ１０２は、例えば、揮発性の半導体メモリであり、ワークメモリとして使用される。ＲＯＭ１０３は、各種データ及び各種プログラムを記憶する読み出し専用のメモリである。
ＣＰＵ１０１は、各種プログラムのうち指定されたプログラムをＲＯＭ１０３から読み出してＲＡＭ１０２に展開し、展開されたプログラムとの協働で各種処理を実行する。
【００１６】
ＣＰＵ１０１は、ＲＯＭ１０３に記憶されているプログラムに従い、操作部１０４又はバーコード読み取り部１０７による売上データ登録（例えば、商品登録、締め）の操作入力を受け付ける。ＣＰＵ１０１は、締めの操作入力がなされた場合には、締めにおける領収金額の金額データを含む領収書のイメージデータを作成して領収書を印字出力部１０９に印刷させる。
【００１７】
操作部１０４は、売上データ登録に関する各種キー群を有し、各キーに入力された操作情報をＣＰＵ１０１に出力する。操作部１０４は、例えば、数字キー、ＰＬＵ（Price Look Up）キー、部門入力キー、仮締キー、小計キー、現金（締め）キーを有する。操作部１０４は、表示部１０６の表示画面に備えられたタッチパネルでも良い。
【００１８】
バーコード読み取り部１０７は、レーザスキャナや、２次元のイメージスキャナ等で構成され、シンボルとしての１次元バーコード（以下、バーコードという）の読み取りを行い、読み取ったバーコードに含まれる情報をＣＰＵ１０１に出力する。バーコード読み取り部１０７は、商品に付されたバーコードを読み取って商品登録を行うためのものとし、さらに、ポイントカード等のバーコードから顧客の情報を読み取る構成としてもよい。
【００１９】
客用表示通信部１０５は、ＣＰＵ１０１の制御に従って表示装置２０と通信を行い、例えば、商品を識別する商品コードや商品の個数等の情報を含む商品登録データや、締め処理を示すＥＮＤデータを表示装置２０に送信する第２送信手段として機能する。
【００２０】
表示部１０６は、ＬＣＤ（Liquid Crystal Display）等で構成され、ＣＰＵ１０１の制御に従って商品登録データ等の情報の表示を行う。
【００２１】
ドロア１０８は、現金、商品券等を格納する引き出しであり、ＣＰＵ１０１の制御により開放される。印字出力部１０９は、ロール紙がセットされたサーマルプリンタ等で構成される。印字出力部１０９は、ＣＰＵ１０１の指示により、レシート、ジャーナル、領収書等を印刷する。
【００２２】
（表示装置）
図２に示すように、表示装置２０は、ＣＰＵ２０１と、ＲＡＭ２０２と、ＲＯＭ２０３と、操作部２０４と、客用表示通信部２０５と、表示部２０６と、オーディオ出力部２０７と、外部記憶部２０８と、を備える。ＣＰＵ２０１、ＲＡＭ２０２、ＲＯＭ２０３、操作部２０４、客用表示通信部２０５、表示部２０６、オーディオ出力部２０７、外部記憶部２０８は、バス２０９に接続されている。
【００２３】
表示装置２０のＣＰＵ２０１は、表示装置２０の各部を中央制御する。
ＲＡＭ２０２は、揮発性の半導体メモリであり、ワークメモリとして使用される。ＲＯＭ２０３は、各種データ及び各種プログラムを記憶する読み出し専用のメモリである。
【００２４】
ＣＰＵ２０１は、各種プログラムのうち指定されたプログラムをＲＯＭ２０３から読み出してＲＡＭ２０２に展開し、展開されたプログラムとの協働で各種処理を実行する。ＣＰＵ２０１は、客用表示通信部２０５を介して売上データ処理装置１０から受信したデータを表示部２０６又はオーディオ出力部２０７に表示又は出力させる第一制御手段、前記データに対応する出力情報を記憶手段２０８から読み出す読出手段、記憶手段２０８から読み出した出力情報を表示部２０６又はオーディオ出力部２０７に表示又は出力させる第２制御手段、顧客の使用言語を特定する言語特定手段、顧客の性別を特定する性別特定手段、として機能する。
【００２５】
操作部２０４は、例えば、表示部２０６の表示画面に備えられたタッチパネルであり、例えば、商品がアルコール飲料であった時に、顧客が操作部２０４を介して確認操作を行う。
【００２６】
客用表示通信部２０５は、ＣＰＵ２０１の制御に従って、通信ネットワークＮ１を介して売上データ処理装置１０と通信を行う。客用表示通信部２０５は、例えば、商品を特定する商品コードや商品の個数等の情報を含む商品登録データや、締め処理を示すＥＮＤデータを、売上データ処理装置１０から受信する受信手段、顧客が確認操作を行ったことを示す情報を売上データ処理装置１０に送信する第１送信手段として機能する。
【００２７】
外部記憶部２０８は、例えば、ＳＤカードやＵＳＢメモリ等の容易に交換可能な記憶媒体を有し、客用表示（表示部２０６における画面表示及びオーディオ出力部２０７における音声出力）として用いられる表示情報を記憶する記憶手段として機能する。外部記憶部２０８に記憶されているデータの中から、実際に用いられる表示情報が取得される。
より具体的には、外部記憶部２０８には、例えば、商品コード、顧客の属性、広告データとが相互に対応付けられて記憶されており、通信ネットワークＮ１を介して売上データ処理装置１０から商品登録データが送信されると、商品登録データに含まれる商品コードから広告データが決定され、また、取得された顧客の属性から広告データが決定されるようになっている。
また、外部記憶部２０８には、顧客による確認操作が必要なアルコール飲料又はタバコ等の商品登録データに対応する確認メッセージを表示するための表示情報や、確認メッセージを音声出力するための音声出力情報が商品登録データに対応づけて記憶されている。
【００２８】
なお、外部記憶部２０８は、通信ネットワークＮ２を介して表示装置２０とデータ送受信可能に接続された外部のサーバ、又は、表示装置２０に内蔵されたメモリ等でも良い。通信ネットワークＮ２は、例えば、ＬＡＮ（Local Area Network）、ＷＡＮ（Wide Area Network）、インターネット等の既存の情報通信網である。
【００２９】
ＣＰＵ２０１は、客用表示通信部２０５を介して売上データ処理装置１０から商品登録データを受信すると、受信した商品登録データに基づいて、ＲＯＭ２０３に記憶された客用表示プログラムに従って、外部記憶部２０８に記憶されているデータの中から客用表示として表示させるデータを取得する。
【００３０】
表示部２０６は、例えばＬＣＤ等で構成され、ＣＰＵ２０１の制御に従って画面表示を行う。
オーディオ出力部２０７は、増幅器、スピーカ等を備え、ＣＰＵ２０１の制御に従って、スピーカから音声を出力する。
【００３１】
＜売上データ処理システムの動作＞
次に、図３〜図９を参照して、売上データ処理システム１の動作を説明する。図３に、売上データ処理装置１０におけるレジ処理を示す。図４〜９に、表示装置２０における処理工程及び表示情報の例を示す。
【００３２】
（売上データ処理装置の動作）
図３に示す、売上データ処理装置１０におけるレジ処理は、顧客が購入する商品の商品登録データを登録する処理、及び、締め処理を行う処理である。
顧客は、適宜、店舗内で購入する商品を選びレジカウンタに運ぶ。レジカウンタでは、売上データ処理装置１０を操作する店員が待機している。
【００３３】
売上データ処理装置１０のＣＰＵ１０１は、例えば、電源オン入力されたことをトリガとして、ＲＯＭ１０３から読み出されて適宜ＲＡＭ１０２に展開されたプログラムとの協働で、レジ処理を開始する。
【００３４】
先ず、ＣＰＵ１０１は、操作部１０４又はバーコード読み取り部１０７を介して店員による商品登録、締め等のキー入力を行われたか否かを判断する（ステップＳ１）。キー入力が行われない場合は（ステップＳ１；Ｎｏ）、キー入力が行われるまで待機する。キー入力が行われると（ステップＳ１；Ｙｅｓ）、ＣＰＵ１０１は、入力されたキーの種類を判別する（ステップＳ２）。
【００３５】
入力されたキーが、顧客が購入した商品の商品登録用（例えば、数字キー、ＰＬＵキー、バーコードスキャンによるバーコード入力等）である場合（ステップＳ２；商品登録）、ＣＰＵ１０１は、客用表示通信部１０５を介して表示装置２０に商品登録データを送信し（ステップＳ３）、入力キーに対応する商品登録処理を行う（ステップＳ４）。
【００３６】
より具体的には、ステップＳ４において、ＣＰＵ１０１は、操作部１０４又はバーコード読み取り部１０７を介して店員による商品登録の操作入力を受け付けて、商品登録データをＲＡＭ１０２に格納していくとともに、商品登録データを表示部１０６に表示させる。
【００３７】
次いで、ＣＰＵ１０１は、顧客による確認操作が必要か否かを判断する（ステップＳ５）。
顧客による確認操作が必要か否かの判断方法は任意であるが、例えば、顧客による確認操作が必要であることを示す信号を客用表示通信部１０５を介して表示装置２０から受信したか否かに基づいて判断する。また、商品登録データに基づいてＣＰＵ１０１が判断しても良い。顧客による確認操作が必要な場合とは、例えば商品登録データにアルコール飲料又はタバコが含まれる場合である。
【００３８】
顧客による確認操作が必要な場合には（ステップＳ５；Ｙｅｓ）、ＣＰＵ１０１は、表示装置２０から顧客が確認操作を行ったことを示す確認信号を受信するまで待機する（ステップＳ６）。表示装置２０から確認信号を受信すると（ステップＳ６；Ｙｅｓ）、ＣＰＵ１０１は、ステップＳ１に戻る。
顧客による確認操作が不要な場合には（ステップＳ５；Ｎｏ）、ＣＰＵ１０１は、ステップＳ１に戻る。
【００３９】
ステップＳ２において、入力されたキーが、商品登録の締め用（例えば、小計キー等）である場合（ステップＳ２；締め）、ＣＰＵ１０１は、客用表示通信部１０５を介して表示装置２０へ商品登録の締め処理を示すＥＮＤデータを送信する（ステップＳ７）。
【００４０】
次いで、ＣＰＵ１０１は、商品登録の締め処理を行う（ステップＳ８）。
より具体的には、ステップＳ８において、ＣＰＵ１０１は、商品の合計金額を算出して表示部１０６に表示させる。店員が顧客から商品の代金を受け取って、代金入力及び現金預かりキーの押下入力を行うと、ＣＰＵ１０１は、操作部１０４を介して店員による入力操作を受け付け、その合計額及び代金からお釣りを算出して表示部１０６に表示させ、ドロア１０８を開放し、販売した商品の個数、金額、合計額等の売上データを、印字出力部１０９にジャーナル、レシートとして印刷させるとともに、ＲＡＭ１０２に記憶する。店員は、顧客から受け取った代金をドロア１０８に収納し、お釣りを取り出して、レシートとともに顧客に手渡してドロア１０８を閉める。
なお、ＣＰＵ１０１は、店員が入力した代金の情報を、客用表示通信部１０５を介して表示装置２０へ送信することとしても良い。
【００４１】
入力されたキーが、その他のキー処理用である場合（ステップＳ２；その他）、ＣＰＵ１０１は、その他のキー処理を行い（ステップＳ９）、ステップＳ１に戻る。その他のキー処理とは、例えば、レシートの余白をフィードする処理等である。
【００４２】
（表示装置の動作）
表示装置２０における表示処理は、売上データ処理装置１０から送信されたデータ（例えば、商品登録データ、ＥＮＤデータ等）に基づいて、表示装置２０に表示させる客用表示の内容を制御する処理である。
表示装置２０のＣＰＵ２０１は、例えば、電源オン入力されたことをトリガとして、ＲＯＭ２０３から読み出されて適宜ＲＡＭ２０２に展開されたプログラムとの協働で、表示処理を開始する。
【００４３】
（顧客による確認操作が必要か否かを判断する場合の表示処理）
図４は、表示装置２０において、顧客による確認操作が必要か否かを判断する場合の表示処理を説明するフローチャートである。顧客による確認操作とは、具体的には、例えば、商品がアルコール飲料又はタバコである場合の成人確認操作、公共料金等の支払いの際の金額確認操作、等である。
【００４４】
先ず、ＣＰＵ２０１は、客用表示通信部２０５を介して売上データ処理装置１０から何らかのデータ（例えば、商品登録データ、ＥＮＤデータ）を受信したか否かを判断する（ステップＳ１１）。データの受信がない場合は（ステップＳ１１；Ｎｏ）、データを受信するまで待機する。
【００４５】
売上データ処理装置１０からデータを受信すると（ステップＳ１１；Ｙｅｓ）、ＣＰＵ２０１は、売上データ処理装置１０から受信したデータに基づいて外部記憶部２０８に記憶されているデータの中から取得したデータ、商品の品名、価格、個数、小計等を含む客用表示用の表示データを作成する。ＣＰＵ２０１は、表示部２０６及びオーディオ出力部２０７に客用表示を表示させる（ステップＳ１２）。
【００４６】
次いで、ＣＰＵ２０１は、顧客による確認操作が必要か否かを判断する（ステップＳ１３）。確認操作が必要か否かの判断方法は任意であるが、例えば、商品の種類に基づいてＣＰＵ２０１が判断する。
つまり、商品の種類がアルコール飲料又はタバコの場合は、顧客による成人確認操作が必要となる。
この場合、顧客による確認操作が必要な商品であるか否かを示す情報は、商品登録データに対応づけて外部記憶部２０８に記憶されており、ＣＰＵ２０１は商品登録データに基づいて外部記憶部２０８を参照し、顧客による確認操作が必要か否かを判断する。
【００４７】
顧客による確認操作が必要な場合（ステップＳ１３；Ｙｅｓ）、ＣＰＵ２０１は表示部２０６及びオーディオ出力部２０７に確認メッセージの表示を追加し（ステップＳ１４）、顧客が操作部２０４を介して確認操作を行うまで待機する（ステップＳ１５）。
なお、ステップＳ１４では、確認メッセージを表示するための表示情報と、確認メッセージを音声出力するための音声出力情報とを外部記憶部２０８から読み出し、読み出した表示情報に基づいて表示部２０６で確認メッセージを表示させると共に、読み出した音声出力情報に基づいてオーディオ出力部２０７に確認メッセージを音声出力させる。
顧客が確認操作を行うと（ステップＳ１５；Ｙｅｓ）、ＣＰＵ２０１は、客用表示通信部２０５を介して売上データ処理装置１０に確認信号を送信し（ステップＳ１６）、ステップＳ１１に戻る。
【００４８】
具体的には、ステップＳ１１において商品登録データを受信すると、表示部２０６には、例えば図５に示されるように、商品の品名、価格、個数、小計等の客用表示３１Ａが表示される。さらに、商品がアルコール飲料であった場合には、ステップＳ１３において顧客による成人確認操作が必要と判断されて、ステップＳ１４において表示部２０６に顧客の年齢を確認するための年齢確認メッセージ３２Ａが表示される。顧客は表示部２０６上のタッチパネルを介して確認操作を行う。具体的には、タッチパネルに表示されている確認ボタン「はい(私は２０歳以上です)」)を押すことで確認操作を行う。
この場合、図５に示すように、表示部２０６の表示領域を２分割し、表示領域の上部分には、客用表示３１Ａとして商品の品名、価格、個数、小計等が表示され、表示領域の下部分には、年齢確認メッセージ３２Ａが表示されるので、成人確認操作が必要であることを顧客に対して分かりやすくアピールすることができる。
【００４９】
顧客による確認操作が不要な場合（ステップＳ１３；Ｎｏ）、ＣＰＵ２０１は、ステップＳ１１に戻る。
【００５０】
（顧客の属性（使用言語）を特定する場合の表示処理）
図６は、表示装置２０において、顧客の属性として、例えば顧客の使用言語を特定する場合の表示処理を説明するフローチャートである。
先ず、ＣＰＵ２０１は、客用表示通信部２０５を介して売上データ処理装置１０から何らかのデータ（例えば、商品登録データ、ＥＮＤデータ）を受信したか否かを特定する（ステップＳ２１）。データの受信がない場合（ステップＳ２１；Ｎｏ）、データを受信するまで待機する。
【００５１】
売上データ処理装置１０からデータを受信すると（ステップＳ２１；Ｙｅｓ）、ＣＰＵ２０１は、顧客の使用言語を特定する（ステップＳ２２）。顧客の使用言語の特定方法は任意であるが、例えば、店員が顧客の使用言語を判断して、売上データ処理装置１０の操作部１０４を用いてキー入力を行うと、売上データ処理装置１０のＣＰＵ１０１が客用表示通信部１０５を介して入力された顧客の使用言語のデータを表示装置２０に送信し、当該データに基づいてＣＰＵ２０１が特定する。
【００５２】
顧客の使用言語が外国語であると特定した場合（ステップＳ２２；Ｙｅｓ）、ＣＰＵ２０１は、売上データ処理装置１０から受信したデータに基づいて外部記憶部２０８に記憶されているデータの中から取得したデータ、商品の品名、価格、個数、小計等を含む客用表示の内容を、顧客の使用言語に翻訳した表示データを作成する（ステップＳ２３）。
翻訳の方法は任意であるが、例えば、インターネット等の通信ネットワークを介して翻訳用のＷｅｂサイトにアクセスして翻訳を行っても良いし、表示装置２０が辞書機能を備えて、表示装置２０内で翻訳を行っても良い。
この場合、客用表示の内容を顧客の使用言語に翻訳するための辞書情報は、客用表示の内容に対応づけて複数の使用言語に対応づけて外部記憶部２０８に記憶されており、ＣＰＵ２０１は客用表示の内容に基づいて外部記憶部２０８を参照し、客用表示の内容を顧客の使用言語に翻訳した表示データを外部記憶部２０８から読み出し、読み出した表示データに基づいて表示データを作成する。
【００５３】
ＣＰＵ２０１は、表示部２０６及びオーディオ出力部２０７にステップＳ２３で作成した表示データに応じた客用表示を表示させ（ステップＳ２４）、ステップＳ２１に戻る。
【００５４】
具体的には、例えば、ステップＳ２２で顧客の使用言語が英語であると特定した場合には、表示部２０６には、図７に示されるように、商品の品名、価格、個数、小計等の客用表示３１Ｂは、英語と日本語を併記して表示されても良いし、英語のみで表示されても良い。また、図７においては、客用表示のうち、商品のイラスト(商品画像)を含む広告３２Ｂは翻訳されていないが、広告３２Ｂも翻訳して表示させることとしても良い。
この場合、図７に示すように、表示部２０６の表示領域を２分割し、表示領域の右部分には、客用表示３１Ｂとして商品の品名、価格、個数、小計等が表示され、表示領域の左部分には、客用表示３１Ｂに表示された商品に関連する他の商品の広告３２Ｂが表示されるので、顧客が購入した商品に関連する他の商品を顧客に対してアピールすることができる。
【００５５】
顧客の使用言語が自国の言葉であると特定された場合、又は不明の場合（ステップＳ２２；Ｎｏ）、ＣＰＵ２０１は、売上データ処理装置１０から受信したデータに基づいて外部記憶部２０８に記憶されているデータの中から取得したデータ、商品の品名、価格、個数、小計等を含む客用表示用の表示データを作成し、ＣＰＵ２０１は、表示部２０６及びオーディオ出力部２０７に、表示データに応じた客用表示を表示させ（ステップＳ２５）、ステップＳ２１に戻る。
【００５６】
（顧客の属性（性別）を特定する場合の表示処理）
図８は、表示装置２０において、顧客の属性として、例えば性別を特定する場合の表示処理を説明するフローチャートである。
先ず、ＣＰＵ２０１は、客用表示通信部２０５を介して売上データ処理装置１０から何らかのデータ（例えば、商品登録データ、ＥＮＤデータ）を受信したか否かを判断する（ステップＳ３１）。データの受信がない場合（ステップＳ３１；Ｎｏ）、データを受信するまで待機する。
【００５７】
売上データ処理装置１０からデータを受信すると（ステップＳ３１；Ｙｅｓ）、ＣＰＵ２０１は、顧客の性別を特定する（ステップＳ３２）。顧客の性別の特定方法は任意であるが、例えば、店員が顧客の性別を判断して、売上データ処理装置１０の操作部１０４を用いてキー入力を行うと、売上データ処理装置１０のＣＰＵ１０１が客用表示通信部１０５を介して入力された顧客の性別のデータを表示装置２０に送信し、当該データに基づいてＣＰＵ２０１が特定する。
【００５８】
顧客の性別が特定された場合（ステップＳ３２；Ｙｅｓ）、ＣＰＵ２０１は、売上データ処理装置１０から受信したデータに加えて顧客の性別を加味して外部記憶部２０８に記憶されているデータの中から取得したデータ、商品の品名、価格、個数、小計等を含む客用表示用の表示データを作成する（ステップＳ３３）。ＣＰＵ２０１は、表示部２０６及びオーディオ出力部２０７に、表示データに応じた客用表示を表示させ（ステップＳ３４）、ステップＳ３１に戻る。
【００５９】
例えば、外部記憶部２０８に、女性へのお勧め商品として「アップルパイ」が登録されていた場合、顧客が女性であり、且つアップルパイを購入していない場合には、ステップＳ３３において、ＣＰＵ２０１は外部記憶部２０８からアップルパイの広告データを取得する。そして、図９に示されるように、ステップＳ３４において、表示部２０６は、商品の品名、価格、個数、小計等の客用表示３１Ｃに加えて、アップルパイの広告３２Ｃが表示される。
この場合、図９に示すように、表示部２０６の表示領域を２分割し、表示領域の上部分には、客用表示３１Ｃとして商品の品名、価格、個数、小計等が表示され、表示領域の下部分には、顧客の性別に対応するお勧め商品の広告３２Ｃが表示されるので、顧客の性別に対応するお勧め商品を顧客に対してアピールすることができる。
【００６０】
顧客の性別が特定できなかった場合（ステップＳ３２；Ｎｏ）、ＣＰＵ２０１は、売上データ処理装置１０から受信したデータに基づいて、表示部２０６及びオーディオ出力部２０７で出力する客用表示用の表示データを作成して、表示部２０６及びオーディオ出力部２０７に、表示データに応じた客用表示を表示させ（ステップＳ３５）、ステップＳ３１に戻る。
【００６１】
以上、本実施の形態によれば、表示装置２０に表示させる表示情報を売上データ処理装置１０が制御するのではなく、売上データ処理装置１０から送信されたデータに基づいて表示装置２０のＣＰＵ２０１が表示制御を行い、また、客用表示には表示装置２０の外部記憶部２０８に記憶されているデータを用いるので、売上データ処理装置１０を何ら変更することなく、表示装置２０における表示情報の変更及び拡張が容易となる。
具体的には、例えば、客用表示の機能を有していない売上データ処理装置であっても、本発明の表示装置２０を接続すれば、客用表示を表示させることができる。また、表示装置２０を、仕様の異なる別の表示装置２０と入れ替える際に、表示装置２０の仕様に応じて売り上げデータ処理装置１０のプログラム等を変更する必要がない。また、１つの売上データ処理装置１０に対して複数個の表示装置２０を接続して、各表示装置２０に別々の内容を表示させることも容易である。
【００６２】
また、表示装置２０のＣＰＵ２０１が顧客の属性（例えば、使用言語、性別、など）を特定して、顧客の属性に基づいた表示情報を取得するので、例えば、顧客に適した広告を表示させて、効果的に販売を促進することができる。
【００６３】
また、表示装置２０のＣＰＵ２０１は、商品がアルコール飲料又はタバコである場合の成人確認など、顧客による確認操作が必要であると判断した場合には、表示装置２０に確認メッセージを表示させるので、顧客は確認操作を円滑に行うことができる。
【００６４】
なお、上記実施の形態における記述内容は、本発明の好適な一例であり、発明の趣旨を逸脱することのない範囲で適宜変更可能である。
１つの表示装置２０が、図４、図６、図８に記載の複数の表示処理機能を兼ね備えていても良い。
【００６５】
ステップＳ５〜Ｓ６における顧客による確認操作が必要か否かの判断は商品の種類だけでなく、レジ処理工程の種類に基づいて決まることとしても良い。例えば、ステップＳ７においてＥＮＤデータを送信した後にステップＳ５〜Ｓ６と同様の処理を行い、取引内容に関して顧客による確認操作が行われた後で、ステップＳ８の締め処理を行っても良い。
【００６６】
顧客の属性（例えば、使用言語、性別）の特定は、例えば、顧客のカード情報をバーコード読み取り部１０７を用いて読み込んだデータを、売上データ処理装置１０のＣＰＵ１０１が客用表示通信部１０５を介して表示装置２０に送信し、当該データから表示装置２０のＣＰＵ２０１が特定することとしても良い。
また、性別の特定は、表示装置２０に備え付けられたカメラを介して顧客の顔画像を取得し、当該顔画像から表示装置２０のＣＰＵ２０１が特定することとしても良い。
【００６７】
また、顧客が購入する商品は、有形商品、無形商品を問わず任意である。無形商品は、例えば、映画、音楽等のコンテンツ、または各種のサービスであってもよい。
【００６８】
さらに、上記実施の形態では、売上データ処理装置１０に接続される出力装置として表示装置２０を示したが、これに限定されず、出力装置は、出力情報を印刷する印刷装置を備えたものでもよい。
この場合、印刷装置は、売上データ処理装置１０に接続され、出力情報としての印刷情報を印刷装置の印刷部に印刷させる。
そして、この実施の形態によれば、印刷装置に印刷させる印刷情報を売上データ処理装置１０が制御するのではなく、売上データ処理装置１０から送信されたデータに基づいて印刷装置のＣＰＵが印刷制御を行い、また、印刷出力には印刷装置の外部記憶部に記憶されているデータを用いるので、売上データ処理装置１０を何ら変更することなく、印刷装置における印刷情報の変更及び拡張が容易となる。
また、この実施の形態によれば、売上データ処理装置１０から送信されたデータに基づいて、商品コードに応じたレシートを印刷すると共に、解析された商品コードに応じたクーポンをレシートと共に印刷することができる。
さらに、この実施の形態によれば、売上データ処理装置１０から送信されたデータに基づいて、商品コードに応じたレシートを印刷すると共に、解析された商品コードに応じた広告画像をレシートと共に印刷することができる。
【００６９】
以上、本発明の実施形態を説明したが、本発明の範囲は上述の実施の形態に限定するものではなく、特許請求の範囲に記載された発明とその均等の範囲に含まれる。以下に、本願出願の当初の特許請求の範囲に記載された発明を付記する。
［付記］
＜請求項１＞
データを入力して商品登録を行う売上データ処理装置に接続される出力装置であって、
前記売上データ処理装置から送信される前記データを受信する受信手段と、
前記データに対応する出力情報を前記データ毎に記憶すると共に、前記データに関連する付加データに対応する出力情報を前記付加データ毎に記憶する記憶手段と、
前記受信手段が前記データを受信した際に、前記データを出力部に出力させる第１制御手段と、
前記受信手段が前記データを受信した際に、前記データ及び前記データに関連して前記売上データ処理装置から送信される前記付加データを判断し、前記データに対応する前記出力情報あるいは前記付加データに対応する前記出力情報を前記記憶手段から読み出す読出手段と、
前記読出手段が読み出した前記データに対応する前記出力情報あるいは前記付加データに対応する前記出力情報を前記出力部に出力させる第２制御手段と、
を備える出力装置。
＜請求項２＞
前記出力部は、表示手段を備え、
前記第２制御手段は、前記データに対応する前記出力情報あるいは前記付加データに対応する前記出力情報を前記表示手段に表示させる請求項１に記載の出力装置。
＜請求項３＞
前記第１制御手段は、前記データを前記表示手段の一方の表示領域に表示させ、
前記第２制御手段は、前記データに対応する前記出力情報あるいは前記付加データに対応する前記出力情報を前記表示手段の他方の表示領域に表示させる請求項２に記載の出力装置。
＜請求項４＞
前記出力部は、印刷手段を備え、
前記第２制御手段は、前記データに対応する前記出力情報あるいは前記付加データに対応する前記出力情報を前記印刷手段に印刷させる請求項１に記載の出力装置。
＜請求項５＞
前記読出手段は、前記出力情報として、前記データに対応する広告情報あるいは前記付加データに対応する広告情報を前記記憶手段から読み出し、
前記第２制御手段は、前記読出手段が読み出した前記広告情報を前記出力部に出力させる請求項１〜４の何れか一項に記載の出力装置。
＜請求項６＞
前記読出手段は、前記商品登録の際に顧客による確認操作が必要であるか否かを、前記データに基づいて判断し、確認操作が必要であると判断された場合、前記顧客に確認操作を指示する確認メッセージを前記出力情報として前記記憶手段から読み出し、
前記第２制御手段は、前記読み出した確認メッセージを前記出力情報として前記表示手段に表示させ、前記表示手段に表示された前記確認メッセージに基づいて、前記顧客による確認操作が行われた場合、前記顧客による確認操作が行われたことを示す情報を前記売上データ処理装置に送信する第１送信手段を備える請求項２に記載の出力装置。
＜請求項７＞
前記受信手段は、前記付加データとして顧客の使用言語を特定する使用言語データを受信し、
受信された前記使用言語データに基づいて顧客の使用言語を特定する言語特定手段を備え、
前記読出手段は、特定された前記使用言語が外国語である場合、外国語に翻訳された前記出力情報を読み出す請求項１〜６の何れか一項に記載の出力装置。
＜請求項８＞
前記受信手段は、前記付加データとして顧客の性別を特定する性別データを受信し、
受信された前記性別データに基づいて顧客の性別を特定する性別特定手段を備え、
前記読出手段は、特定された前記性別に対応する前記出力情報を読み出す請求項１〜７の何れか一項に記載の出力装置。
＜請求項９＞
請求項１〜８の何れか一項に記載の出力装置と、前記売上データ処理装置と、が通信可能に接続された売上データ処理システムであって、
前記売上データ処理装置は、前記データを前記出力装置に送信する第２送信手段を備える売上データ処理システム。
＜請求項１０＞
データを入力して商品登録を行う売上データ処理装置に接続される出力装置のコンピュータを、
前記売上データ処理装置から送信される前記データを受信する受信手段、
前記受信手段が前記データを受信した際に、前記データを出力部に出力させる第１制御手段、
前記受信手段が前記データを受信した際に、前記データ及び前記データに関連して前記売上データ処理装置から送信される前記付加データを判断し、前記データに対応する前記出力情報あるいは前記付加データに対応する前記出力情報を、前記データに対応する出力情報を前記データ毎に記憶すると共に前記データに関連する前記付加データに対応する前記出力情報を前記付加データ毎に記憶する記憶手段から読み出す読出手段と、
前記読出手段が読み出した前記データに対応する前記出力情報あるいは前記付加データに対応する前記出力情報を前記出力部に出力させる第２制御手段と、
として機能させるためのプログラム。
【符号の説明】
【００７０】
１          売上データ処理システム
Ｎ１、Ｎ２  通信ネットワーク
１０        売上データ処理装置
１０１      ＣＰＵ
１０２      ＲＡＭ
１０３      ＲＯＭ
１０４      操作部
１０５      客用表示通信部（第２送信手段）
１０６      表示部
１０７      バーコード読み取り部
１０８      ドロア
１０９      印字出力部
１１０      バス
２０        表示装置（出力装置）
２０１      ＣＰＵ（第１制御手段、読出手段、第２制御手段、言語特定手段、性別特定手段）
２０２      ＲＡＭ
２０３      ＲＯＭ
２０４      操作部
２０５      客用表示通信部（受信手段、第１送信手段）
２０６      表示部
２０７      オーディオ出力部
２０８      外部記憶部（記憶手段）
２０９      バス
【図１】
2016048489.tif 000003
【図２】
2016048489.tif 000004
【図３】
2016048489.tif 000005
【図４】
2016048489.tif 000006
【図５】
2016048489.tif 000007
【図６】
2016048489.tif 000008
【図７】
2016048489.tif 000009
【図８】
2016048489.tif 000010
【図９】
2016048489.tif 000011